(57)【要約】【課題】放電不良を防止するためのプラズマ表示装置とその駆動方法を提供する。【解決手段】前記課題を解決するための本発明の一つの特徴によるプラズマ表示装置の駆動方法は、複数の第１電極と複数の第２電極、前記第１電極と第２電極の間に各々伸びている複数の第３電極を含むプラズマ表示装置の駆動方法であって、リセット期間において、前記第１電極の電圧を第１電圧から第２電圧まで漸進的に上昇させ、前記第３電極の電圧を第３電圧から第４電圧まで漸進的に上昇させる段階、前記リセット期間において、前記第３電極の電圧を第５電圧から第６電圧まで漸進的に下降させる段階、アドレス期間において、前記第３電極に選択的に走査電圧を印加する段階、そして維持期間において、前記第１電極と第２電極に維持放電パルスを交互に印加する段階を含む。【選択図】図８
2006091858.tif 000002
【特許請求の範囲】
【請求項１】
複数の第１電極と複数の第２電極、前記第１電極と第２電極の間に各々伸びている複数の第３電極を含むプラズマ表示装置の駆動方法であって、
リセット期間において、前記第１電極の電圧を第１電圧から第２電圧まで漸進的に上昇させ、前記第３電極の電圧を第３電圧から第４電圧まで漸進的に上昇させる段階、
前記リセット期間において、前記第３電極の電圧を第５電圧から第６電圧まで漸進的に下降させる段階、
アドレス期間において、前記第３電極に選択的に走査電圧を印加する段階、そして
維持期間において、前記第１電極と第２電極に維持放電パルスを交互に印加する段階を含むプラズマ表示装置の駆動方法。
【請求項２】
前記リセット期間において、
前記第３電極をフローティングさせた状態で、前記第１電極に前記第１電圧から前記第２電圧まで漸進的に上昇する波形を印加して前記第３電極の電圧を前記第３電圧から前記第４電圧まで漸進的に上昇させることを特徴とする請求項１に記載のプラズマ表示装置の駆動方法。
【請求項３】
前記リセット期間の以前において、
前記第１電極の電圧を前記第１電圧から前記第２電圧まで漸進的に上昇させる期間をさらに含むことを特徴とする請求項１に記載のプラズマ表示装置の駆動方法。
【請求項４】
前記アドレス期間において、
前記第１電極に第７電圧を印加し、前記第２電極に前記第７電圧より高い第８電圧を印加することを特徴とする請求項１、２及び請求項３のいずれかに記載のプラズマ表示装置の駆動方法。
【請求項５】
前記プラズマ表示装置は、前記第３電極と交差する方向に伸びている複数の第４電極をさらに含み、
前記駆動方法は、
前記アドレス期間において、前記複数の第３電極に選択的に前記走査電圧が印加されるたびに、前記複数の第４電極の中の選択された第４電極にアドレス電圧を印加する段階をさらに含むことを特徴とする請求項１、２及び請求項３のいずれかに記載のプラズマ表示装置の駆動方法。
【請求項６】
維持放電電圧パルスが各々印加される第１電極と第２電極、前記第１電極と前記第２電極の間に伸びている第３電極を含むプラズマ表示パネル;及び
前記第１から第３電極を駆動するための信号を出力する駆動回路を備え、
前記駆動回路は、
前記維持放電電圧のうちの高い電圧である第１電圧を供給する第１電源と、前記維持放電電圧のうちの低い電圧である第２電圧を供給する第２電源の間に直列に連結されて、接続点が前記第１電極に電気的に連結される第１スイッチと第２スイッチ、また、第３電圧を供給する第３電源と前記第１電極の間に電気的に連結されて、前記第１電極の電圧を漸進的に上昇させるように動作する第３スイッチを備える第１電極駆動部;及び
第４電圧を供給する第４電源と前記第３電極の間に電気的に連結されて、前記第３電極の電圧が漸進的に下降するように動作する第４スイッチを備える第３電極駆動部を備え、
リセット期間において、前記第３電極をフローティングさせた状態で前記第３スイッチを遮断から導通に変化させて前記第３電極の電圧を漸進的に上昇させた後、前記第４スイッチを遮断から導通に変化させて前記第３電極の電圧を漸進的に下降させることを特徴とするプラズマ表示装置。
【請求項７】
前記第３電極駆動部は、
第５電圧を供給する第５電源に第１端子が連結される第５スイッチ、及び前記第５スイッチの第２端子と前記第３電極の間に電気的に連結される第６スイッチをさらに備え、
前記リセット期間において、前記第４及び第６スイッチを導通から遮断に変化させて前記第３電極をフローティングさせることを特徴とする請求項６に記載のプラズマ表示装置。
【請求項８】
前記第３電極駆動部は、
第１端子が前記第３電極に連結されて選択された前記第３電極に走査電圧を印加する第７スイッチと、第２端子が前記第３電極に連結されて選択されない前記第３電極に非走査電圧を供給する第８スイッチを各々備える複数の選択回路、また、前記選択回路の一端と前記走査電圧を供給する第６電源の間に電気的に連結される第９スイッチをさらに備え、
前記リセット期間において、前記第９スイッチを導通から遮断に変化させて前記第３電極をフローティングさせることを特徴とする請求項７に記載のプラズマ表示装置。
【請求項９】
前記駆動回路は、
前記第１電源と前記第２電源の間に直列に連結され、接続点が前記第２電極に電気的に連結される第１０スイッチと第１１スイッチを備える第２電極駆動部をさらに備えることを特徴とする請求項６に記載のプラズマ表示装置。
【請求項１０】
前記プラズマ表示パネルは、前記第３電極と交差する方向に形成される複数の第４電極をさらに含み、
前記駆動回路は、
前記アドレス期間において、前記複数の第３電極に選択的に前記走査電圧が印加されるたびに、前記複数の第４電極のうちの選択された第４電極にアドレス電圧を印加する第４電極駆動部をさらに備えることを特徴とする請求項６、７、８及び請求項９のいずれかに記載のプラズマ表示装置。
【発明の詳細な説明】
【技術分野】
【０００１】
本発明は、プラズマ表示装置に関する。
【背景技術】
【０００２】
プラズマ表示装置は、気体放電によって生成されたプラズマを利用して文字または映像を表示する平面表示装置であって、その大きさによって数十から数百万個以上のピクセルがマトリックス状に配列されている。このようなプラズマ表示装置は、印加される駆動電圧波形の形態と放電セルの構造によって、直流型と交流型に大別される。
【０００３】
直流型プラズマ表示装置は電極が放電空間にそのまま露出されて、電圧が印加される間に電流が放電空間にそのまま流れるようになって、このために電流制限のための抵抗を作らなければならない。それに比べて、交流型プラズマ表示装置では、電極を誘電体層が覆っていて、自然なキャパシタンス成分の形成で電流が制限されて放電時イオンの衝撃から電極が保護されるので直流型に比べて寿命が長いという長所がある。
【０００４】
図１は、従来のプラズマ表示パネルの電極配列図を示す。
【０００５】
図１に示すように、従来プラズマ表示パネルの電極はｍ×ｎのマトリックス構成を有している。列方向にアドレス電極Ａ１〜Ａｍが配列されており、行方向にｎ行のＹ電極Ｙ１〜Ｙｎ及びＸ電極Ｘ１〜Ｘｎが交互に配列されている。図３に示す放電セル３０は、図１に示す放電セル２０に対応する。
【０００６】
図２は、従来のプラズマ表示装置の駆動波形図である。
【０００７】
図２に示すプラズマ表示装置の駆動方法によれば、各サブフィールドはリセット期間、アドレス期間、維持期間により構成される。
【０００８】
リセット期間は、以前の維持放電の壁電荷状態を消去して、次のアドレス放電を安定的に行うために壁電荷をセットアップする役割を担当する。
【０００９】
アドレス期間は、パネルにおいて点灯させようとするセルと点灯されないセルを選択して、点灯させようとするセル（アドレシングされたセル）に壁電荷を蓄積する動作を行う期間である。
【００１０】
維持期間は、Ｘ電極またはＹ電極に維持放電電圧を交互に印加し、アドレシングされたセルに実際に画像を表示するための放電を行う期間である。
【００１１】
しかし、従来のプラズマ表示装置によれば、アドレス期間後、第１維持放電パルス印加時、放電セルの中に十分なプライミング電荷が生成されていないため、放電不良が発生する問題があった。
【００１２】
一方、維持放電期間では、Ｘ電極またはＹ電極に同じ維持放電電圧を交互に印加し、アドレシングされたセルに実際に画像を表示するための維持放電を行う。この時、維持放電期間において、Ｘ電極またはＹ電極に印加される波形は対称的な波形が印加されるのが好ましい。しかし、従来のプラズマ表示装置によれば、リセット期間においてＹ電極（Ｙ電極にはリセット及びスキャンのための波形が追加的に印加される）に印加される波形とＸ電極に印加される波形が異なるため、Ｙ電極を駆動するための回路とＸ電極を駆動するための回路も異なる。そのために、Ｘ電極及びＹ電極の駆動回路がインピーダンスマッチングができなく、維持放電期間において、Ｘ電極またはＹ電極に交互に印加される波形が歪み、放電不良が発生する問題が発生する。
【発明の開示】
【発明が解決しようとする課題】
【００１３】
本発明が解決しようとする技術的課題は、放電不良を防止するためのプラズマ表示装置とその駆動方法を提供することである。
【課題を解決するための手段】
【００１４】
前記課題を解決するための本発明の一つの特徴によるプラズマ表示装置の駆動方法は、複数の第１電極と複数の第２電極、前記第１電極と前記第２電極の間に各々伸びている複数の第３電極を含むプラズマ表示装置の駆動方法であって、リセット期間において、前記第１電極の電圧を第１電圧から第２電圧まで漸進的に上昇させ、前記第３電極の電圧を第３電圧から第４電圧まで漸進的に上昇させる段階、前記リセット期間において、前記第３電極の電圧を第５電圧から第６電圧まで漸進的に下降させる段階、アドレス期間において、前記第３電極に選択的に走査電圧を印加する段階、そして維持期間において、前記第１電極と第２電極に維持放電パルスを交互に印加する段階を含む。
【００１５】
前記リセット期間において、前記第３電極をフローティングさせた状態で、前記第１電極に前記第１電圧から前記第２電圧まで漸進的に上昇する波形を印加して前記第３電極の電圧を前記第３電圧から前記第４電圧まで漸進的に上昇させてもよい。
【００１６】
前記課題を解決するための本発明の他の特徴によるプラズマ表示装置は、維持放電電圧パルスが各々印加される第１電極と第２電極、前記第１電極と前記第２電極の間に伸びている第３電極を含むプラズマ表示パネル;及び前記第１から第３電極を駆動するための信号を出力する駆動回路を備え、前記駆動回路は、前記維持放電電圧のうちの高い電圧である第１電圧を供給する第１電源と、前記維持放電電圧のうちの低い電圧である第２電圧を供給する第２電源の間に直列に連結されて、接続点が前記第１電極に電気的に連結される第１スイッチと第２スイッチ、また、第３電圧を供給する第３電源と前記第１電極の間に電気的に連結されて、前記第１電極の電圧を漸進的に上昇させるように動作する第３スイッチを備える第１電極駆動部;及び第４電圧を供給する第４電源と前記第３電極の間に電気的に連結されて、前記第３電極の電圧が漸進的に下降するように動作する第４スイッチを備える第３電極駆動部を備え、リセット期間において、前記第３電極をフローティングさせた状態で前記第３スイッチを遮断から導通に変化させて前記第３電極の電圧を漸進的に上昇させた後、前記第４スイッチを遮断から導通に変化させて前記第３電極の電圧を漸進的に下降させる。
【００１７】
前記第３電極駆動部は、第５電圧を供給する第５電源に第１端子が連結される第５スイッチ、及び前記第５スイッチの第２端子と前記第３電極の間に電気的に連結される第６スイッチをさらに備え、前記リセット期間において、前記第４及び第６スイッチを導通から遮断に変化させて前記第３電極をフローティングさせてもよい。
【発明の効果】
【００１８】
本発明の実施例によると、Ｘ電極とＹ電極の間に第３電極を形成して第３電極にリセット波形及びスキャン波形を印加し、Ｘ電極及びＹ電極に維持放電電圧波形を印加することによって、放電不良を防止することができる。
【００１９】
また、リセット期間において第３電極をフローティングさせ、Ｙ電極に上昇ランプ波形を印加して第３電極の電圧を上昇させることによって、第３電極駆動部のスイッチ個数を減らすことができるので製造単価を節減することができる。
【発明を実施するための最良の形態】
【００２０】
以下、添付図面を参照しながら、本発明の実施例について詳細に説明する。本明細書及び図面において、実質的に同一の機能構成を有する構成要素については、同一の符号を付することにより重複説明を省略する。
【００２１】
［第１実施例］
まず、本発明の実施例によるプラズマ表示装置について、図３と図４を参照して詳細に説明する。
【００２２】
図３は本発明の実施例によるプラズマ表示パネルの電極配列図を示す。
【００２３】
図３に示すように、本発明の実施例によるプラズマ表示パネルは、列方向にアドレス電極Ａ１〜Ａｍが平行に伸びており、行方向にｎ/２＋１行のＹ電極Ｙ１〜Ｙｎ/２＋１、Ｘ電極Ｘ１〜Ｘｎ/２＋１、及びｎ行の中間電極（以下、“Ｍ電極”とする）が伸びている。つまり、本発明の実施例によれば、Ｙ電極及びＸ電極の中間にＭ電極が配列されており、Ｙ電極、Ｘ電極、Ｍ電極、及びアドレス電極が一つの放電セル３０を構成する４電極構造を有する。
【００２４】
この時、本発明の実施例によれば、Ｘ電極及びＹ電極は主に維持放電電圧波形を印加するための役割を、Ｍ電極は主にリセット波形及びスキャンパルス電圧を印加するための役割を担当する。
【００２５】
図４は、本発明の第１実施例によるプラズマ表示装置の駆動波形図であり、図５ａから図５ｅは、図４に示す駆動波形による壁電荷分布を示す図面である。
【００２６】
以下、図４、図５ａから図５ｅを参照して、本発明の実施例による駆動方法について説明する。
【００２７】
図４に示す本発明の第１実施例による駆動方法によれば、各サブフィールドはリセット期間、アドレス期間、維持期間により構成される。
【００２８】
本発明の第１実施例によれば、リセット期間は消去期間、Ｍ電極上昇波形期間、及びＭ電極下降波形期間を含んでなる。
【００２９】
（１−１）消去期間（Ｉ）
この期間は、以前の維持放電期間において形成された壁電荷を消去する役割を担当する。本発明の実施例によると、維持放電期間の最後の時点に、Ｘ電極に維持放電電圧パルスが印加され、Ｙ電極にはＸ電極に印加された電圧より低い電圧（例えば、接地電圧）が印加されたと想定する。以下、図５ａのように、Ｙ電極及びアドレス電極には＋壁電荷が形成され、Ｘ電極及びＭ電極には−壁電荷が形成される。
【００３０】
消去期間では、Ｍ電極に電圧Ｖｓを印加した状態で、Ｙ電極に接地電圧からＶｅ電圧まで緩慢に上昇する波形（ランプ波形またはログ波形）を印加する。以下、図５ａに示すように、維持放電期間において形成された壁電荷は消去される。
【００３１】
（１−２）Ｍ電極上昇波形期間（II）
この期間の間では、Ｘ電極及びＹ電極に接地電圧を印加した状態で、Ｍ電極に電圧ＶｓからＶｓ＋Ｖｓｅｔに緩慢に上昇する波形（ランプ波形またはログ波形）を印加する。この上昇波形が印加される間、全ての放電セルではＭ電極からアドレス電極、Ｘ電極及びＹ電極に、各々弱いリセット放電が起こる。その結果、図５ｂに示すように、Ｍ電極に−壁電荷が蓄積されて、同時にアドレス電極、Ｘ電極及びＹ電極には＋壁電荷が蓄積される。
【００３２】
（１−３）Ｍ電極下降波形期間（III）
次に、リセット期間の後半では、Ｘ電極及びＹ電極にＶｂを印加させた状態で、Ｍ電極に電圧Ｖｓから負の電圧Ｖｎｆに向かって緩慢に下降する波形（ランプ波形またはログ波形）を印加する。
【００３３】
このランプ電圧が下降する間に、再び全ての放電セルでは弱いリセット放電が起こる。この時、Ｍ電極下降波形期間は、Ｍ電極上昇波形期間において蓄積された壁電荷をゆっくり減少させるための期間であるから、下降波形の時間を長くして、次第に（つまり、傾きを緩慢にする程度）減少する壁電荷の量を精密に制御するため、アドレス放電に有利である。
【００３４】
Ｍ電極に下降波形を印加した結果、全てのセルの各電極に蓄積された壁電荷が均等に消去されて、図５ｃに示すように、アドレス電極には＋壁電荷が蓄積され、同時にＸ電極、Ｙ電極及びＭ電極には−壁電荷が蓄積される。
【００３５】
（２）アドレス期間（スキャン期間）
アドレス期間では、複数のＭ電極にＶｓｃｈ電圧を印加した状態で、Ｍ電極に順次に低電位のスキャン電圧（例えば、接地電圧またはＶｓｃｌ）を所定時間だけ印加する、つまり、電圧Ｖｓｃｌのスキャンパルスを印加し、同時にアドレス電極には放電させようとするセル（つまり、点灯させようとするセル）に高電位のアドレス電圧Ｖａを所定時間だけ印加する。この時、Ｘ電極にはＶｂ電圧を印加し、Ｙ電極は接地電圧に維持する（つまり、Ｘ電極に、Ｙ電極の電圧より高い電圧を印加する。）。
【００３６】
この結果、Ｍ電極とアドレス電極の間に放電が起こり、放電がＸ電極及びＹ電極に拡張され、その結果、図５ｄに示すように、Ｙ電極及びＭ電極には＋電荷が蓄積され、Ｘ電極及びアドレス電極には−壁電荷が蓄積される。
【００３７】
（３）維持放電期間
本発明の第１実施例による維持放電期間によれば、Ｍ電極に維持放電電圧Ｖｓを印加した状態で、Ｘ電極またはＹ電極に維持放電電圧パルスを交互に印加する。このような電圧の印加により、アドレス期間において選択された放電セルには維持放電が起こるようになる。
【００３８】
この時、本発明の第１実施例によれば、維持放電初期と正常時点では互いに異なる放電メカニズムによって放電が生じるようになる。以下、説明を簡潔にするために、維持放電初期に発生する放電をショートギャップ放電期間、正常時点の放電をロングギャップ放電期間と称する。
【００３９】
（３−１）ショートギャップ放電期間
維持放電の開始期間では、図５ｅのａ、ｂに示すように、Ｙ電極に＋電圧パルスが印加され、Ｘ電極に−電圧パルスが印加されるが（ここで、＋及び−の符号は、Ｘ電極に印加された電圧とＹ電極に印加された電圧の大きさを比較した相対的概念であって、Ｙ電極に＋パルス電圧が印加されたということは、Ｙ電極にＸ電極より大きい電圧が印加されたということを意味する。）、同時にＭ電極に＋電圧パルスが印加される。したがって、Ｘ電極とＹ電極の間にだけ放電が起こる従来方式とは違って、Ｘ電極とＹ電極との間だけでなく、Ｍ電極とＸ電極との間にも放電が起こるようになる。特に、本発明の第１実施例によれば、Ｘ電極とＹ電極の間の距離よりＭ電極とＸ電極の間の距離がさらに近いため、Ｍ電極とＸ電極の間に印加される電界がさらに大きい。したがって、Ｍ電極とＸ電極の間の放電が、Ｘ電極とＹ電極の間の放電より主導的な役割を担当する。このように、本発明の第１実施例では、維持放電初期に相対的に距離が短いＭ電極とＸ電極の間の放電が主導的な役割を担当することで、これをショートギャップ放電と称する。
【００４０】
このように、本発明の第１実施例によれば、維持放電初期に相対的に高い電界が印加されて行われるショートギャップ放電が発生するため、アドレス期間後、第１維持放電パルス印加の時に、放電セル内に十分なプライミング電荷が生成されなくても、十分な放電を行うことができる。
【００４１】
（３−２）ロングギャップ放電期間
維持放電の第１維持放電パルスを印加した後は、Ｍ電極の電圧が一定の電圧Ｖｓで印加されるため、Ｍ電極とＸ電極の間の放電、またはＭ電極とＹ電極の間の放電（つまり、ショートギャップ放電）は、放電に寄与する寄与度が少なくて、主放電はＸ電極及びＹ電極の間の放電になり、結局、Ｘ電極またはＹ電極に交互に印加される放電パルス数によって入力された映像を表示することになる。
【００４２】
つまり、図５ｅのｄに示すように、定常状態の維持放電期間では、Ｍ電極には−壁電荷が続いて蓄積され、Ｘ電極またはＹ電極には−壁電荷と＋壁電荷が交互に蓄積される。
【００４３】
このように本発明の第１実施例によると、維持放電初期にはＸ電極とＭ電極の間（またはＹ電極とＭ電極の間）のショートギャップ放電によって放電を行うために、プライミング電荷が少ない状態でも十分な放電を行い、正常な状態ではＸ電極及びＹ電極の間のロングギャップ放電によって放電を行うために安定的に放電を行うことができる。
【００４４】
また、本発明の第１実施例によると、Ｘ電極とＹ電極にほとんど対称的な電圧波形が印加されるので、Ｘ電極及びＹ電極を駆動するための回路をほとんど同一に設計することができる。したがって、Ｘ電極及びＹ電極の間の回路インピーダンスの差をほとんどなくすことができるため、維持放電期間においてＸ電極またはＹ電極に印加されるパルス波形の歪みを減少させて安定的に放電を図ることができる。
【００４５】
また、図６に示す本発明の第１実施例によれば、Ｘ電極とＹ電極の波形が換わっても駆動が可能であり、また、アドレス期間においてＸ電極とＹ電極との波形が換わっても駆動が可能である。
【００４６】
前述した本発明の第１実施例による駆動方法によると、Ｍ電極には主にリセット波形及びスキャンパルス波形が印加され、Ｘ電極及びＹ電極には主に維持電圧波形が印加される。この時、Ｍ電極に印加されるリセット波形は、図６に示したリセット波形だけでなく、３電極構造で使用される多様な形態のリセット波形を印加することができる。
【００４７】
このような多様な形態のリセット波形を、本発明の第１実施例による４電極構造に適用することは、前述の内容から当業者が容易に分かることで、以下では、それについての説明を省略する。
【００４８】
図６は、本発明の実施例によるプラズマ表示装置を示す図面である。
【００４９】
図６に示すように、本発明の実施例によるプラズマ表示装置は、プラズマ表示パネル１００、アドレス電極駆動部２００、Ｙ電極駆動部３００、Ｘ電極駆動部４００、Ｍ電極駆動部５００、及び制御部６００を備える。
【００５０】
プラズマ表示パネル１００は、列方向に伸びている複数のアドレス電極Ａ１〜Ａｍ、行方向に伸びている複数のＹ電極Ｙ１〜Ｙｎ、Ｘ電極Ｘ１〜Ｘｎ、及びＭｉｊ電極を含む。この時、Ｍｉｊ電極は、Ｙｉ電極及びＸｊ電極の間に形成される電極を意味する。
【００５１】
アドレス電極駆動部２００は、制御部６００からアドレス駆動制御信号ＳＡを受信して、点灯させようとする放電セルを選択するための表示データ信号を各アドレス電極に印加する。
【００５２】
Ｙ電極駆動部３００及びＸ電極駆動部４００は、制御部６００から各々Ｙ電極駆動信号ＳＹとＸ電極駆動信号ＳＸを受信してＹ電極とＸ電極に印加する。
【００５３】
Ｍ電極駆動部５００は、制御部６００からＭ電極駆動信号ＳＭを受信してＭ電極に印加する。この時、Ｍ電極駆動部５００及びＸ電極駆動部４００を同じ印刷回路基板（以下、“ＰＣＢ”とする）に設置することが可能であれば、回路構成がコンパクトになるので好ましい。
【００５４】
制御部６００は、外部から映像信号を受信して、アドレス駆動制御信号ＳＡ、Ｙ電極駆動信号ＳＹ、Ｘ電極駆動信号ＳＸ、及びＭ電極駆動信号ＳＭを生成して、各々アドレス電極駆動部２００、Ｙ電極駆動部３００、Ｘ電極駆動部４００、及びＭ電極駆動部５００に伝達する。
【００５５】
この時、本発明の実施例によると、Ｙ電極駆動部３００とＸ電極駆動部４００は、プラズマ表示パネルを基準に反対の側面に配置されており、Ｍ電極駆動部５００は、プラズマ表示パネルの一方の側面（図６ではＸ電極駆動部側）に配置されている。つまり、本発明の実施例によれば、全てのＭ電極がプラズマ表示パネルの一方の側面に位置したＭ電極駆動部５００に連結されている。
【００５６】
図７は、本発明の実施例による電極配列構造を示す図面である。
【００５７】
図７に示すように、本発明の実施例によると、Ｙ電極とＸ電極の間に各々Ｍ電極が配列されている。図７では説明を簡潔にするために、Ｘ電極、Ｙ電極、及びＭ電極を各々駆動するための駆動部が位置する所に図面符号を記載した。
【００５８】
つまり、図７によると、Ｙ電極を駆動するための駆動部が左側部分に配置されているため、Ｙ電極の左側部分に図面符号を付け、Ｘ電極及びＭ電極を駆動するための駆動部が右側部分に配置されているため、Ｘ電極及びＭ電極の右側部分に図面符号を付けた。
【００５９】
このような電極配列構造では、アドレス期間でのＭ電極のスキャン順番は、シングルスキャンの場合（スキャン方向がパネルの上方から下方に進行すると想定する時）Ｍ１、Ｍ２、Ｍ３、…、ＭＭ１、ＭＭ２、ＭＭ３の順番にスキャンされる。そして、デュアルスキャンの場合には（Ｍ１、ＭＭ１）、（Ｍ２、ＭＭ２）、（Ｍ３、ＭＭ３）の順番にスキャンされる。
【００６０】
一方、本発明の第１実施例による駆動波形を参照すると、アドレス期間においてＹ電極は接地電圧を印加され、Ｘ電極は正のＶｂ電圧を印加される。したがって、アドレス電極とＭ電極間にアドレス放電が起こった後、Ｘ電極とＭ電極間にも放電が起こる。この時、Ｘ電極より相対的に電圧が低いＹ電極とＭ電極間には、ほとんど放電が起こらない。したがって、リセット期間においてＭ電極に上昇ランプ波形が印加される時、Ｙ電極に消去波形と同じ上昇ランプ波形を印加しても、リセット放電にほとんど影響を与えない。
【００６１】
［第２実施例］
図８は、このような本発明の第２実施例による駆動波形を示したものである。
【００６２】
しかし、図４及び図８のように、消去期間においてＹ電極に上昇ランプ波形を印加するために、Ｙ電極駆動部３００は、上昇ランプ波形を印加するためのランプスイッチとスイッチ駆動ＩＣを備えなければならない。同様に、Ｍ電極駆動部５００も、リセット期間において上昇ランプ波形を印加するためのランプスイッチと駆動ＩＣを備えなければならない。
【００６３】
ところが、図８に示す本発明の第２実施例のように、リセット期間においてＭ電極に上昇ランプ波形が印加される時、Ｙ電極に消去波形と同じ上昇ランプ波形を印加すると、Ｍ電極駆動部５００に別途のリセット上昇ランプスイッチを備えないで、Ｙ電極駆動部３００の上昇ランプスイッチを利用してＭ電極にリセット上昇ランプを印加することができる。
【００６４】
図９は、本発明の第２実施例による駆動波形を印加するためのＹ電極駆動部３００、Ｘ電極駆動部４００、Ｍ電極駆動部５００の回路を示したものである。
【００６５】
図９に示すように、Ｙ電極駆動部３００は、電圧Ｖｓを供給する電源端子Ｖｓと接地端子ＧＮＤの間に連結されたスイッチＹｓ、Ｙｇを備える。また、Ｙ電極駆動部３００は、電力回収用キャパシタＣｙｒ、インダクタＬｙ、充電経路を形成するスイッチＹｒとダイオードＹＤｒ、放電経路を形成するスイッチＹｆとダイオードＹＤｆ及びクランピングダイオードＹＤＣＨ、ＹＤＣＬを備える。
【００６６】
クランピングダイオードＹＤＣＨは、オーバーシュートなどによりスイッチＹｆのドレーン電圧が電圧Ｖｓ以上に上がらないようにして、スイッチＹｆのドレーンと電源Ｖｓの間に連結される。また、クランピングダイオードＹＤＣＬは、アンダーシュートなどによりスイッチＹｒの電圧が０Ｖ以下にならないようにして、スイッチＹｒのソースと接地端子ＧＮＤの間に連結される。
【００６７】
また、Ｙ電極駆動部３００は電源Ｖｅに連結され、消去期間において遮断から導通に変化して、正電流を流れさせてランプ形態で上昇する波形を印加するランプスイッチＹｅｒを備える。
【００６８】
Ｘ電極駆動部４００は、電圧Ｖｓを供給する電源端子Ｖｓと接地端子ＧＮＤの間に連結されたスイッチＹｓ、Ｙｇと、電力回収用キャパシタＣｘｒ、インダクタＬｘ、充電経路を形成するスイッチＸｒとダイオードＸＤｒ、放電経路を形成するスイッチＸｆとダイオードＸＤｆ及びクランピングダイオードＸＤＣＨ、ＸＤＣＬを備える。また、下降リセット期間及びアドレス期間においてＸ電極に印加電圧Ｖｂを供給する、電源Ｖｂに連結されたスイッチＸｂをさらに備える。
【００６９】
Ｍ電極駆動部５００は、電源端子Ｖｓに連結されたスイッチＭｓ、リセット期間において下降するリセット波形を生成する下降ランプスイッチＭｆｒ、及び電流の逆流を防止するためにメインパスに形成されるスイッチＭｐｐを備える。
【００７０】
また、アドレス期間において走査パルスを生成して選択されないＭ電極に印加される電圧を供給する電源ＶｓｃＨと、選択されたＭ電極に印加される電圧を供給する電源ＶｓｃＬの間に連結されて、電圧ＶｓｃＨ−ＶｓｃＬを保存しているキャパシタＣｓｃ、電圧ＶｓｃＬを供給するスイッチＭｓｃ、及びＭ電極に各々連結される複数のスキャンドライバーＩＣを備える。スキャンドライバーＩＣは、Ｍ電極に高電圧ＶｓｃＨと低電圧ＶｓｃＬを各々供給する二つのスイッチＭＨ、ＭＬを備える。
【００７１】
このような本発明の実施例による４電極構造のプラズマ表示装置の駆動回路で、消去期間においてＹ電極に消去上昇ランプが印加され、Ｙ電極電圧が接地電圧になった時、Ｍ電極にはＶｓ電圧が印加されているので、Ｙ電極とＭ電極の間のキャパシタＣｍｙはＶｓに充電される。この状態で、Ｍ電極駆動部５００のスイッチＭｐｐを導通から遮断に変化させてＭ電極をフローティングさせ、Ｙ電極駆動部５００のスイッチＹｅｒを遮断から導通に変化させる。そうすると、図８のように、Ｙ電極の電圧がＶｅ電圧まで漸進的に上昇して、そのため、Ｍ電極の電位もＶｓ電圧からＶｓ＋Ｖｅ電圧まで漸進的に上昇する。
【００７２】
このように本発明の実施例による駆動回路によれば、リセット期間においてスイッチＭｐｐを導通から遮断に変化させてＭ電極をフローティングさせた状態で、Ｙ電極駆動部のランプスイッチＹｅｒを利用してＭ電極の電圧を漸進的に上昇させることによって、Ｍ電極駆動部の上昇ランプスイッチを除去することができる。
【００７３】
また、リセット期間において、スキャンドライバーＩＣのスイッチ（ＭＨとＭＬ）を全て導通から遮断に変化させて、スキャンドライバーＩＣの出力をハイインピーダンス状態にしても、スイッチＭｐｐを導通から遮断に変化させてＭ電極をフローティングさせることと同じ効果を得ることができる。
【００７４】
この場合、リセット期間においてスイッチＭｐｐを導通から遮断に変化させなくてもいいので、図１０のように、Ｍ電極駆動部５００でスイッチＭｐｐを省略することができる。
【００７５】
本発明の権利範囲は、先に説明した各実施例のような構造に限定されることは無く、請求範囲で定義している本発明の基本概念を使用した当業者による全ての変更及び改良形態も又、本発明の権利範囲に属するものである。
【図面の簡単な説明】
【００７６】
【図１】従来のプラズマ表示装置の電極配列図面である。
【図２】従来のプラズマ表示装置の駆動波形図である。
【図３】本発明の実施例によるプラズマ表示装置の電極配列図面である。
【図４】本発明の第１実施例によるプラズマ表示装置の駆動波形図である。
【図５ａ】本発明の実施例による駆動波形に基づく壁電荷分布図である。
【図５ｂ】本発明の実施例による駆動波形に基づく壁電荷分布図である。
【図５ｃ】本発明の実施例による駆動波形に基づく壁電荷分布図である。
【図５ｄ】本発明の実施例による駆動波形に基づく壁電荷分布図である。
【図５ｅ】本発明の実施例による駆動波形に基づく壁電荷分布図である。
【図６】本発明の第１実施例によるプラズマ表示装置及び電極配列を示す図面である。
【図７】本発明の第１実施例によるプラズマ表示装置及び電極配列を示す図面である。
【図８】本発明の第２実施例によるプラズマ表示装置の駆動波形図である。
【図９】図８の駆動波形を生成するための本発明の実施例によるＹ電極駆動部、Ｘ電極駆動部及びＭ電極駆動部の回路を示す図面である。
【図１０】図８の駆動波形を生成するための本発明の他の実施例によるＹ電極駆動部、Ｘ電極駆動部、及びＭ電極駆動部の回路を示す図面である。
【符号の説明】
【００７７】
２０、３０      放電セル
１００          プラズマ表示パネル
２００          アドレス電極駆動部
３００          Ｙ電極駆動部
４００          Ｘ電極駆動部
５００          Ｍ電極駆動部
６００          制御部
【図１】
2006091858.tif 000003
【図２】
2006091858.tif 000004
【図３】
2006091858.tif 000005
【図４】
2006091858.tif 000006
【図５ａ】
2006091858.tif 000007
【図５ｂ】
2006091858.tif 000008
【図５ｃ】
2006091858.tif 000009
【図５ｄ】
2006091858.tif 000010
【図５ｅ】
2006091858.tif 000011
【図６】
2006091858.tif 000012
【図７】
2006091858.tif 000013
【図８】
2006091858.tif 000014
【図９】
2006091858.tif 000015
【図１０】
2006091858.tif 000016